(57)【要約】【課題】数枚一度に運搬する際にも揃在状態にずれが生じることなく、筋力の弱い者でも運搬が容易であって、且つ脱梱包時に数枚一度に梱包函体からの搬出が容易であり、製造コストも廉価である非常用被包装寝装品を提供する。【解決手段】熱融着が可能な合成樹脂製の包装袋２の内部に、揃折された毛布３や枕などの寝装品を揃置してこれらが密封真空包装された非常用被包装寝装品１を構成する矩形包装袋２の少なくとも１辺の融着周縁部５に円形状の把持孔７を構成部分とする把持用把手８が延設形成される。【選択図】        図１
2004168398.tif 000002
【特許請求の範囲】
【請求項１】
熱融着が可能な合成樹脂製の包装袋の内部に、災害時など非常時に使用されることを想定し、揃折された毛布や枕などの寝装品を揃置してこれらが密封真空包装された非常用被包装寝装品において、該矩形包装袋の少なくとも１辺に把持用把手が延設形成されたことを特徴とする非常用被包装寝装品。
【請求項２】
矩形包装袋の少なくとも１辺にシート状延設部分を設け、該延設部分に把持用把手が形成され、該把持用把手が、シート状延設部分に少なくとも１箇所穿設された把持孔と、該把持孔より延在するシート部分であることを特徴とする請求項１記載の非常用被包装寝装品。
【請求項３】
把持孔周縁に、断裂防止手段が設けられたことを特徴とする請求項２記載の非常用被包装寝装品。
【請求項４】
把持孔上部、即ち把手を構成する把持孔の上域が真円ないし楕円形状であることを特徴とする請求項２記載の非常用被包装寝装品。
【請求項５】
把持孔周縁の把手構成域が、融着部を有せず、包装袋の構成部材であるシート材が剥離した状態が保全されたことを特徴とする請求項１、２、４のいずれか記載の非常用被包装寝装品。
【発明の詳細な説明】
【０００１】
【発明が属する技術分野】
本発明は、非常用被包装寝装品に関する。
【０００２】
地震、或いは洪水などの天災による交通遮断状況下においては、これら非常時に対処するための寝装品が必要となる。これらの非常用寝装品は真空パック状態として、常時保管されるべきものである。本発明はこのような非常用被包装寝装品に関するものである。
【０００３】
【従来の技術】
本発明に係る従来技術については、行政上の製品基準に合致した熱融着可能な包装素材により毛布、枕、シーツなどをセットした寝装品セットを、密封真空包装、即ち真空パックしたものであって、製品製造上、ほぼ矩形の板状を呈し、内容物品の周縁に包装素材の縁部がわずかに延在する形状のものであった。
【０００４】
【発明が解決しようとする課題】
上記従来技術においては、図７に示されるように、一般的な企画サイズの毛布１０２を８つ折りにしたものに枕やシーツなど付属的寝装品を真空パックしたものであって、これに包装材縁部１０１が周縁に延在する板状の被包装寝装品１００をそのまま運搬するものであったため、包装素材の縁部は、これを把持して運搬しうるに適するものではなく、また数枚一度に重ねて運搬する際に、一人の人間が手持ちで運搬する際に加え、特に手渡しで運搬する際に積載状態にずれが生じて運搬に不便が生じたり、老人や年少者など、筋力の弱い者が運搬する際には一枚ずつの運搬にほぼ限られてしまう、という課題があった。
【０００５】
また上記従来技術においては、梱包時に梱包函体内部に揃置して積載していくものであったため、梱包函体上部より順次１ないし２枚ずつ搬出していくほかはなく、迅速な手配が要求される非常時にあって、まとめて数枚一度に搬出することに困難がある、という課題があった。
【０００６】
本発明は、このような課題にかんがみ、数枚一度に運搬する際にも揃在状態にずれが生じることなく、筋力の弱い者でも運搬が容易であって、且つ脱梱包時に数枚一度に梱包函体からの搬出が容易であり、製造コストも廉価である非常用被包装寝装品を提供することを目的とする。
【０００７】
【課題を解決するための手段】
本発明は、熱融着が可能な合成樹脂製の包装袋の内部に、災害時など非常時に使用されることを想定し、揃折された毛布や枕などの寝装品を揃置してこれらが密封真空包装された非常用被包装寝装品において、該矩形包装袋の少なくとも１辺に把持用把手が延設形成された構成を、主要課題解決手段とするものである。
【０００８】
本発明は、このような主要課題解決手段のもとに、矩形包装袋の少なくとも１辺にシート状延設部分を設け、該延設部分に把持用把手が形成され、該把持用把手が、シート状延設部分に少なくとも１箇所穿設された把持孔と、該把持孔より延在するシート部分である構成をとりうる。
【０００９】
また前項に記載された構成のもとに、本発明は、或いは把持孔周縁に断裂防止手段が設けられた構成、或いは矩形包装袋の少なくとも１辺に把持用把手が延設形成された構成、或いは把持孔上部、即ち把手を構成する把持孔の上域が真円ないし楕円形状である構成ををとりうるものである。
【００１０】
さらに本発明は、把持孔の構成につき、前項記載の後者の課題解決手段と共に、把持孔周縁の把手構成域が、融着部を有せず、包装袋の構成部材であるシート材が剥離した状態が保全された構成をとりうるものである。
【００１１】
上述の構成により、非常用被包装寝装品の運搬時には、矩形包装袋の少なくとも１辺に延設形成された把持用把手を把持して運搬すればよい。被包装素材がシート状であるため、把持運搬する者の筋力に応じ、数枚一度に迅速な運搬が可能となる。
【００１２】
また把持用把手を対辺或いは隣接辺に形成した場合、手渡しで順次運搬する際にも、揃在状態を乱すことなく、効率よく、数枚一度に運搬が可能となる。
【００１３】
把持孔については、運搬時の重量負荷状況により、把持孔の側域上方部に応力集中による断裂が生じやすいが、把持孔上部、即ち把手を構成する把持孔の上域が真円ないし楕円形状であれば、重量負荷に伴う応力は分散され、また把持孔周縁に、たとえば丘状円環など、断裂防止手段が設けられれば、同様に把持孔の断裂は、良好に防止される。
【００１４】
この把持孔の運搬時における重量負荷による応力分散は、把持孔周縁の把手構成域が、熱融着部を有せず、包装袋の構成部材であるシート材が剥離した状態が保全された構成によっても良好に実現され、包装素材そのものが基準を満たすものであれば、運搬時の安全も併せて実現されるばかりでなく、真空包装工程も少なく、従って製造コストも廉価である。
【００１５】
このような形状の被包装寝装品を、梱包された梱包函体から取り出す際には、板状の周縁を人体掌部で挟持して取り出さず、把手をまとめて把持し、取り出せば、脱梱包時に数枚一度に梱包函体からの搬出が可能となる。
【００１６】
【発明の実施の形態】
以下本発明の実施形態を図面を参照しながら説明する。
【００１７】
本発明に係る実施形態は、本実施形態の典型的実施例である第１実施例正面図である図１に示されるように、熱融着が可能な合成樹脂製シート材からなる包装袋２の内部に、災害時など非常時に使用されることを想定し、揃折された毛布３や枕４などの寝装品を揃置してこれらが密封真空包装された非常用被包装寝装品１である。包装袋２の素材は、適度な軟度と弾性を有する。
【００１８】
毛布３は、規格品であり、ほぼ横１４０センチメートル、縦２００センチメートルである。この毛布３を縦に２つ折りにした後、再度縦に２つ折りし、長矩形となったものを、その中心線を中心にさらに２つ折りし、横５２センチメートル、縦７０センチメートルの大きさとしてある。包装袋２に内装される寝具の実施例としては、毛布３のみである場合があってもよいし、枕やシーツなどをセットとして内装される場合があってもよい。毛布３のみの場合、厚さはほぼ７センチメートルとなる。
【００１９】
これを包装袋２の中に真空梱包すると、厚さは約２．５センチメートルとなり、板状の形状をかなり良好に維持可能な、矩形の被包装寝装品１となる。この被包装寝装品１の周縁には、熱圧着による融着周縁部５が矩形各辺に形成される。この融着周縁部５のうち、少なくとも短１辺にシート状延設部分６が形成される。実施例としては、図１に示されるように、１辺のみにシート状延設部分６が形成されるものが典型例であるが、図２に示されるように、短対辺２箇所に延設される場合があってもよいし、或いは図３に示されるように長１辺に延設されるものであってもよい。
【００２０】
シート状延設部分６には、真円ないし楕円形状の把持孔７が穿設され、把持孔７及び把持孔７の上部の把持周縁５ａは、把持孔７の上域７ａとともに、被包装寝装品１の把手８を構成する。把持孔７の典型的な実施例としては、楕円形状であるが、真円であってもよい。
【００２１】
把持孔７の周縁のうち、把手構成域となる７ａは、融着されておらず、図１に示されるように、包装袋２の構成部材である把持孔周縁シート材９ａ、９ｂが２枚、適宜剥離した状態が保全されている。
【００２２】
なお、把持孔７の穿設個数は、典型的実施例においては、通常１箇とされるが、材質の強度、運搬物品である被包装寝装品１の重量に応じ、複数個設けられてもよい。
【００２３】
以上のような構成により、被包装寝装品１の運搬時には、典型的実施例である第１実施例では、矩形である包装袋２の把手８を把持して運搬すればよい。被包装素材がシート状であるため、把持運搬する者の筋力に応じ、被包装寝装品１を数枚一度に把持して、迅速な運搬が可能である。
【００２４】
また把手８を対辺に形成させた図２に示される第２実施例では、被包装寝装品１を数枚一度に把持し、その揃在状態を崩さなければ、手渡しで、人から人へと迅速な運搬が可能である。把手８を隣接辺に形成させた図３に示される第３実施例では、大人から子供へ、或いは子供から大人への効率のよい運搬が可能である。
【００２５】
一方把手８を長１辺に形成させた図４に示される第４実施例においては、身長の低い年少者や老人も被包装寝装品１を引きずることなく運搬ができる可能性が留保される。
【００２６】
把持孔７については、運搬時の重量負荷状況により、把持孔７の側域上方部に応力集中による断裂が生じやすく、これを避けるため、当該部分に丘状円環１０が形成される実施例、すなわち図５に示される第５実施例も想起される。
【００２７】
この把持孔７の運搬時における重量負荷による応力分散は、把持孔周縁の把手構成域、即ち把持周縁５ａが、融着部を有しない把持孔周縁シート材９ａ、９ｂとなっているために、応力分散が生じ、従って断裂も生じにくい。
【００２８】
以上のような被包装寝装品を例えば図６に示されるように、段ボール箱のような梱包函体１１に梱包し、その梱包函体１１から取り出す際には、従前のように板状の周縁を人体掌部で挟持して取り出さず、把手８を数枚まとめて人体掌部で把持して取り出せば、脱梱包時に被包装寝装品１を数枚一度に梱包函体からの搬出が可能となる。
【００２９】
【発明の効果】
以上詳述したように、本発明に係る非常用被包装寝装品によれば、数枚一度に運搬する際にも揃在状態にずれが生じることなく、筋力の弱い者でも運搬が容易であって、且つ脱梱包時に数枚一度に梱包函体からの搬出が容易であり、製造コストも廉価である非常用被包装寝装品が提供される。
【図面の簡単な説明】
【図１】本発明実施形態の第１実施例一部透視全体図である。
【図２】本発明実施形態の第２実施例一部透視全体図である。
【図３】本発明実施形態の第３実施例一部透視全体図である。
【図４】本発明実施形態の第４実施例一部透視全体図である。
【図５】本発明実施形態の第５実施例一部透視全体図である。
【図６】本発明実施形態の梱包状態を示す一部透視切欠略図である。
【図７】従来例一部透視全体図である。
【符号の説明】
１          被包装寝装品
２          包帯袋
３        毛布
４        枕
５        融着周縁部
５ａ      把持周縁
６        シート状延設部分
７        把持孔
７ａ      把手構成域
８        把手
９ａ、ｂ  把持孔周縁シート材
１０        丘状円環
１１        梱包函体
１００      被包装寝装品
１０１      包装材縁部
１０２      毛布
【図１】
2004168398.tif 000003
【図２】
2004168398.tif 000004
【図３】
2004168398.tif 000005
【図４】
2004168398.tif 000006
【図５】
2004168398.tif 000007
【図６】
2004168398.tif 000008
【図７】
2004168398.tif 000009